(57)【要約】【課題】表示の高精細化に適した極性反転駆動によって、消費電力の低減を図る。【解決手段】複数のデータ線をｍ（ｍは２以上の自然数）本毎に分割することによって複数のブロックを規定し、同一のブロックに対して同一極性のデータ信号を出力し、互いに隣接したブロック間で逆極性のデータ信号を出力し、ブロックを反転単位として、データ信号の極性を所定の期間毎に反転させる極性反転駆動を行う。【選択図】図４
2004258485.tif 000002
【特許請求の範囲】
【請求項１】
電気光学装置において、
複数の走査線と、
複数のデータ線と、
前記走査線と前記データ線との交差に対応して設けられた複数の電気光学素子と、
前記複数のデータ線をｍ（ｍは２以上の自然数）本毎に分割することによって複数のブロックを規定し、同一の前記ブロックに対して同一極性のデータ信号を出力し、互いに隣接した前記ブロック間で逆極性のデータ信号を出力し、前記ブロックを反転単位として、データ信号の極性を所定の期間毎に反転させる極性反転駆動を行うデータ線駆動回路と
を有することを特徴とする電気光学装置。
【請求項２】
ある出力線に出力された時系列的な信号を時分割することによって、ｋ（ｋは２以上の自然数）本の前記データ線のそれぞれに対してデータ信号を順次出力する時分割駆動を行う電気光学装置において、
複数の走査線と、
複数のデータ線と、
前記データ線と前記走査線との交差に対応して設けられた複数の電気光学素子と、
前記複数のデータ線をｍ（ｍはｋの整数倍）本毎に分割することによって複数のブロックを規定し、同一の前記ブロックに対して同一極性のデータ信号を出力し、互いに隣接した前記ブロック間で逆極性のデータ信号を出力し、所定の期間毎に、前記ブロックを反転単位として、データ信号の極性を反転させる極性反転駆動を行うデータ線駆動回路と
を有することを特徴とする電気光学装置。
【請求項３】
前記データ線駆動回路は、前記ｋ本のデータ線のそれぞれに対応して設けられた複数の選択スイッチを有し、
前記ｋ本のデータ線は、前記選択スイッチを介して、前記時系列的な信号が供給される上位の出力線に共通接続されていることを特徴とする請求項２に記載された電気光学装置。
【請求項４】
前記選択スイッチのそれぞれは、所定の期間内において、互いにオフセットしながら順次オンすることを特徴とする請求項３に記載された電気光学装置。
【請求項５】
前記ブロックは、前記ｍ本のデータ線のデータ線群であって、
前記データ線駆動回路は、前記極性反転駆動として、前記データ線群を反転単位としたＶライン反転駆動を行うことを特徴とする請求項１から４のいずれかに記載された電気光学装置。
【請求項６】
前記ブロックは、前記複数の走査線をｎ（ｎは自然数）本毎に分割することによって規定されており、
前記データ線駆動回路は、前記極性反転駆動として、前記ブロックを反転単位としたブロック反転駆動を行うことを特徴とする請求項１から４のいずれかに記載された電気光学装置。
【請求項７】
赤、青、緑の３ドットで１画素が構成されている場合、ｍは３の整数倍であることを特徴とする請求項１から６のいずれかに記載された電気光学装置。
【請求項８】
前記データ信号の極性反転を行う前に、逆極性のデータ信号が出力された前記データ線同士をショートさせるリセット回路をさらに有することを特徴とする請求項１から７のいずれかに記載された電気光学装置。
【請求項９】
前記データ信号の極性反転を行う前に、前記データ線を所定の電圧にプリチャージするプリチャージ回路をさらに有することを特徴とする請求項１から８のいずれかに記載された電気光学装置。
【請求項１０】
請求項１から９のいずれかに記載された電気光学装置を実装した電子機器。
【請求項１１】
複数の走査線と、複数のデータ線と、前記走査線と前記データ線との交差に対応して設けられた複数の電気光学素子を有する電気光学装置の極性反転駆動方法において、
前記複数のデータ線をｍ（ｍは２以上の自然数）本毎に分割することによって複数のブロックを規定し、同一の前記ブロックに対して同一極性のデータ信号を出力し、互いに隣接した前記ブロック間で逆極性のデータ信号を出力する第１のステップと、
前記ブロックを反転単位として、データ信号の極性を所定の期間毎に反転させる第２のステップと
を有することを特徴とする電気光学装置の極性反転駆動方法。
【請求項１２】
複数の走査線と、複数のデータ線と、前記走査線と前記データ線との交差に対応して設けられた複数の電気光学素子を有し、ある出力線に出力された時系列的な信号を時分割することによって、ｋ（ｋは２以上の自然数）本の前記データ線のそれぞれにデータ信号を順次出力する電気光学装置の極性反転駆動方法において、
前記複数のデータ線をｍ（ｍはｋの整数倍）本毎に分割することによって複数のブロックを規定し、同一の前記ブロックに対して同一極性のデータ信号を出力し、互いに隣接した前記ブロック間で逆極性のデータ信号を出力する第１のステップと、
前記ブロックを反転単位として、データ信号の極性を所定の期間毎に反転させる第２のステップと
を有することを特徴とする電気光学装置の極性反転駆動方法。
【請求項１３】
前記ブロックは、前記ｍ本のデータ線で構成されたデータ線群であることを特徴とする請求項１１または１２に記載された電気光学装置の極性反転駆動方法。
【請求項１４】
前記ブロックは、前記複数の走査線をｎ（ｎは自然数）本毎に分割することによって規定されることを特徴とする請求項１１または１２に記載された電気光学装置の極性反転駆動方法。
【請求項１５】
赤、青、緑の３ドットで１画素が構成されている場合、ｍは３の整数倍であることを特徴とする請求項１１から１４のいずれかに記載された電気光学装置の極性反転駆動方法。
【請求項１６】
前記データ信号の極性反転を行う前に、逆極性のデータ信号が出力された前記データ線同士をショートさせる第３のステップをさらに有することを特徴とする請求項１１から１５のいずれかに記載された電気光学装置の極性反転駆動方法。
【請求項１７】
前記データ信号の極性反転を行う前に、前記データ線を所定の電圧にプリチャージする第４のステップをさらに有することを特徴とする請求項１１から１６のいずれかに記載された電気光学装置の極性反転駆動方法。
【発明の詳細な説明】
【０００１】
【発明の属する技術分野】
本発明は、電気光学装置、電気光学装置の極性反転駆動方法および電子機器に関する。
【０００２】
【従来の技術】
従来より、時分割駆動を用いたアクティブマトリクス型の電気光学装置が知られている。時分割駆動は、ドライバＩＣ等の上位回路より出力された時系列的な信号を時分割して、対応するデータ線に振り分ける技術であり、ドライバＩＣの出力ピン数の削減を図り、出力ピン間のピッチを確保する上で有利である。例えば、特許文献１および特許文献２には、このタイプの液晶表示装置におけるドット反転駆動法について開示されている。前者には、完全なドット反転駆動を実現するために、時分割の数を奇数に設定し、１ラインの隣接ドットに対して逆極性の電圧を交互に印加する点が開示されている。また、後者には、低消費電力化を図るべく、１水平走査期間のブランキング期間において、逆極性のデータ信号が供給されたデータ線同士をショートさせる点が開示されている。さらに、特許文献３には、液晶表示装置において、それぞれのデータ線にプリチャージ用の駆動素子を設け、データ線を所定のタイミングでプリチャージした後に、データ信号をデータ線に供給する点が開示されている。
【０００３】
【特許文献１】
特開平１１−３２７５１８号公報
【特許文献２】
特開２００１−１３４２４５号公報
【特許文献３】
特開２０００−３５６９７８号公報。
【０００４】
【発明が解決しようとする課題】
しかしながら、ドット反転駆動は、高画質化を図る上では有利である反面、データ信号の極性反転を行う回数が増えるため、消費電力の増大を招くという問題がある。このような消費電力の問題は表示の高精細化が進むほど顕著になる。
【０００５】
本発明の目的は、表示の高精細化に適した新規な極性反転駆動を提供することである。
【０００６】
また、本発明の別の目的は、極性反転駆動における消費電力の低減を図ることである。
【０００７】
【課題を解決するための手段】
かかる課題を解決するために、第１の発明は、複数の走査線と、複数のデータ線と、走査線とデータ線との交差に対応して設けられた複数の電気光学素子と、複数のデータ線をｍ（ｍは２以上の自然数）本毎に分割することによって複数のブロックを規定し、同一のブロックに対して同一極性のデータ信号を出力し、互いに隣接したブロック間で逆極性のデータ信号を出力し、ブロックを反転単位として、データ信号の極性を所定の期間毎に反転させる極性反転駆動を行うデータ線駆動回路とを有する電気光学装置を提供する。
【０００８】
第２の発明は、ある出力線に出力された時系列的な信号を時分割することによって、ｋ（ｋは２以上の自然数）本のデータ線のそれぞれに対してデータ信号を順次出力する時分割駆動を行う電気光学装置を提供する。この電気光学装置は、複数の走査線と、複数のデータ線と、データ線と走査線との交差に対応して設けられた複数の電気光学素子と、複数のデータ線をｍ（ｍはｋの整数倍）本毎に分割することによって複数のブロックを規定し、同一のブロックに対して同一極性のデータ信号を出力し、互いに隣接したブロック間で逆極性のデータ信号を出力し、所定の期間毎に、ブロックを反転単位として、データ信号の極性を反転させる極性反転駆動を行うデータ線駆動回路とを有する。
【０００９】
ここで、第２の発明において、データ線駆動回路は、ｋ本のデータ線のそれぞれに対応して設けられた複数の選択スイッチを有し、ｋ本のデータ線は、選択スイッチを介して、時系列的な信号が供給される上位の出力線に共通接続されていることが好ましい。この場合、選択スイッチのそれぞれは、所定の期間内において、互いにオフセットしながら順次オンすることが望ましい。
【００１０】
第１または第２の発明において、ブロックをｍ本のデータ線のデータ線群とした場合、データ線駆動回路は、極性反転駆動として、データ線群を反転単位としたＶライン反転駆動を行うことが好ましい。また、ブロックを複数の走査線をｎ（ｎは自然数）本毎に分割することによって規定してもよい。この場合、データ線駆動回路は、極性反転駆動として、ブロックを反転単位としたブロック反転駆動を行うことが好ましい。また、赤、青、緑の３ドットで１画素が構成されている場合、ｍは３の整数倍であることが好ましい。
【００１１】
また、第１または第２の発明において、データ信号の極性反転を行う前に、逆極性のデータ信号が出力されたデータ線同士をショートさせるリセット回路をさらに設けてもよい。また、このリセット回路に代えて、或いは、このリセット回路の他に、データ信号の極性反転を行う前に、データ線を所定の電圧にプリチャージするプリチャージ回路をさらに設けてもよい。
【００１２】
第３の発明は、上記第１または第２の発明に係る電気光学装置を実装した電子機器を提供する。
【００１３】
第４の発明は、複数の走査線と、複数のデータ線と、走査線とデータ線との交差に対応して設けられた複数の電気光学素子を有する電気光学装置の極性反転駆動方法を提供する。この駆動方法は、複数のデータ線をｍ（ｍは２以上の自然数）本毎に分割することによって複数のブロックを規定し、同一のブロックに対して同一極性のデータ信号を出力し、互いに隣接したブロック間で逆極性のデータ信号を出力する第１のステップと、ブロックを反転単位として、データ信号の極性を所定の期間毎に反転させる第２のステップとを有する。
【００１４】
第５の発明は、複数の走査線と、複数のデータ線と、走査線とデータ線との交差に対応して設けられた複数の電気光学素子を有し、ある出力線に出力された時系列的な信号を時分割することによって、ｋ（ｋは２以上の自然数）本のデータ線のそれぞれにデータ信号を順次出力する電気光学装置の極性反転駆動方法を提供する。この駆動方法は、複数のデータ線をｍ（ｍはｋの整数倍）本毎に分割することによって複数のブロックを規定し、同一のブロックに対して同一極性のデータ信号を出力し、互いに隣接したブロック間で逆極性のデータ信号を出力する第１のステップと、ブロックを反転単位として、データ信号の極性を所定の期間毎に反転させる第２のステップとを有する。
【００１５】
ここで、第４または第５の発明において、ブロックは、ｍ本のデータ線で構成されたデータ線群であってもよく、ブロックは、複数の走査線をｎ（ｎは自然数）本毎に分割することによって規定されていてもよい。また、第４または第５の発明において、赤、青、緑の３ドットで１画素が構成されている場合、ｍは３の整数倍であることが好ましい。
【００１６】
第４または第５の発明において、データ信号の極性反転を行う前に、逆極性のデータ信号が出力されたデータ線同士をショートさせる第３のステップをさらに設けてもよい。また、データ信号の極性反転を行う前に、データ線を所定の電圧にプリチャージする第４のステップをさらに設けてもよい。
【００１７】
【発明の実施の形態】
（第１の実施形態）
図１は、本実施形態に係る電気光学装置のブロック構成図である。表示部１は、例えばＴＦＴ（薄膜トランジスタ）等のスイッチング素子によって液晶の駆動を行うアクティブマトリクス型のパネルである。この表示部１には、Ｘ方向（行方向）に延在するＮ本の走査線Ｙ１〜ＹＮと、Ｙ方向（列方向）に延在するＭ本のデータ線群Ｘ１〜ＸＭとが互いに交差しており、これらの交差に対応してＭドット×Ｎライン分の電気光学素子２が二次元的（マトリクス状）に並んでいる。本実施形態では、表示部１のカラー表示を可能にすべく、画像の最小表示単位である１つの画素ＰはＲ（赤）、Ｇ（緑）、Ｂ（青）の３ドットで構成されている。したがって、表示部１上には、（Ｍドット／３）×Ｎライン分の画素Ｐが存在することになる。以下の説明において、表示部１上に存在する特定の画素Ｐを指定する場合、表示部１のＸ方向の位置を規定するデータ線Ｘの添字１〜Ｍと、Ｙ方向の位置を規定する走査線Ｙの添字方向１〜Ｎとを用いて表現し、表示部１の左上を基準点（１，１）とし、右下を（Ｍ／３，Ｎ）とする。例えば、最上の走査線Ｙ１に対応する画素行に関しては、左から順にＰ（１，１），Ｐ（２，１），（３，１），・・・，Ｐ（Ｍ／３，１）となる。
【００１８】
図２は、電気光学素子２の等価回路図である。１つの電気光学素子２は、スイッチング素子であるＴＦＴ２１、液晶容量２２および蓄積容量２３によって構成されている。ＴＦＴ２１のソースは１本のデータ線Ｘ（Ｘは任意のデータ線を指す）に接続され、そのゲートは１本の走査線Ｙ（Ｙは任意の走査線を指す）に接続されている。同一列に並んだ電気光学素子２に関しては、それぞれのＴＦＴ２１のソースが同じデータ線に接続されている。また、同一行に並んだ電気光学素子２に関しては、それぞれのＴＦＴ２１のゲートが同じ走査線Ｙに接続されている。ＴＦＴ２１のドレインは、並列に設けられた液晶容量２２と蓄積容量２３とに共通接続されている。液晶容量２２は、画素電極２２ａと、対向電極２２ｂと、これらの電極２２ａ，２２ｂ間に挟持された液晶（液晶層）とによって構成されている。蓄積容量２３は、画素電極２２ａと、図示しない共通容量電極との間に形成されており、電圧Ｖｃｓが供給される。この蓄積容量２３によって、液晶に蓄積される電荷のリークを抑えている。画素電極２２ａ側には、ＴＦＴ２１を介して、データ線Ｘより供給されたデータ信号が極性付の電圧として印加される。データ信号の極性は、液晶層に作用する電界の向き、換言すれば、液晶層の印加電圧の正逆に基づいて定義される。例えば、対向電極２２ｂ側に直流電圧ＬＣＯＭを印加する駆動法（いわゆるコモンＤＣ）では、この電圧ＬＣＯＭよりも高電圧側を正極（＋）のデータ信号とし、これよりも低電圧側を負極（−）のデータ信号とする。
【００１９】
制御回路５は、図示しない上位装置より入力される垂直同期信号Ｖｓ、水平同期信号Ｈｓ、ドットクロック信号ＤＣＬＫ等の外部信号に基づいて、走査線駆動回路３とデータ線駆動回路４とを同期制御する。走査線駆動回路３は、シフトレジスタ、出力回路等を主体に構成されており、各走査線Ｙ１〜ＹＮに走査信号を出力することにより、１水平走査（１Ｈ）期間毎に、走査線Ｙ１〜ＹＮを順番に選択していく。これにより、データの書込対象となる画素行が順番に選択され、書き込まれたデータは１フレーム（１Ｆ）期間保持される。
【００２０】
データ線駆動回路４は、走査線駆動回路３と協働して、データの書込対象となる画素行に供給すべきデータをデータ線Ｘ１〜ＸＭに出力する。データ線駆動回路４におけるドライバＩＣ４１は、シフトレジスタ、ラインラッチ回路、ＤＡコンバータ、出力回路等の主要な回路を内蔵している。ドライバＩＣ４１は、今回データを書き込む画素行に対するデータの出力と、次回にデータを書き込む画素行に関するデータの点順次的なラッチとを同時に行う。すなわち、ある１Ｈ期間において、データ線Ｘの本数Ｍに相当するＭ個のデータ（次の１Ｈ期間のデータ）が順次ラッチされる。次の１Ｈ期間になると、ラッチされたデータは、極性付の電圧レベルにアナログ変換された上で、ドライバＩＣ４１の出力ピンＰＩＮ１〜ＰＩＮｉを介して、出力線ＤＯ１〜ＤＯｉに出力される。
【００２１】
本実施形態では、ドライバＩＣ４１の出力ピン数を削減して、隣接ピン間のピッチを確保すべく、時分割駆動法が用いられる。そのため、上位の出力線ＤＯ１〜ＤＯｉおよび下位のデータ線Ｘ１〜ＸＭは、一対多の接続関係になっている。すなわち、データ線Ｘ１〜ＸＭがｋ本毎にグループ化され、それぞれのグループが１本の出力線ＤＯに接続されている。本実施形態では、一例として、ｋ＝６、すなわち、６本のデータ線Ｘによって１つのグループを形成しているが、本発明はこれに限定されるものではない。前段のドライバＩＣ４１は、１つのグループを形成するそれぞれのデータ線Ｘに供給するデータ信号を時系列的に出力する一方、後段の時分割回路４３は、この時系列的な信号を時分割することによって得られる個々のデータ信号を、同一グループ内の６本のデータ線Ｘのそれぞれに対して順次出力する。
【００２２】
図４に示すように、時分割回路４３は、１つのグループを構成する各データ線Ｘ（例えばデータ線Ｘ１〜Ｘ６）に対応して設けられた６個の選択スイッチのグループを出力ピンＰＩＮの本数分有する。それぞれの選択スイッチは、データ線Ｘと上位の出力線ＤＯとの間に設けられており、制御回路５において生成された選択信号ＳＳ１〜ＳＳ６のいずれかによって導通制御される。これらの選択信号ＳＳ１〜ＳＳ６は、同一グループ内の各選択スイッチがオンする期間を規定しており、ドライバＩＣ４１からの時系列的な信号出力と同期している。
【００２３】
なお、ドライバＩＣ４１は、表示部１が形成されたパネル上に実装されるが、時分割回路４３については、コストの低減を図るべく、低温ポリシリコンでパネルに一体形成することが好ましい。
【００２４】
図３は、時分割駆動のタイミングチャートである。本実施形態（ｋ＝６）では、１本の出力線ＤＯの下位に６本のデータ線Ｘが共通接続されている。そのため、１Ｈ期間毎に、１本の出力線ＤＯより２画素（すなわち６ドット）分のデータ信号を時系列的に出力する必要がある。以下、出力線ＤＯ１を例に説明するが、それ以外の出力線ＤＯ２，・・・，ＤＯｉについても、同様のプロセスで同時並行的に行われるため、ここでの説明を省略する。
【００２５】
まず、最初の１Ｈ期間では最上の走査線Ｙ１が選択されるため、出力線ＤＯ１に関するデータ書込対象は、画素Ｐ（１，１），Ｐ（２，１）となる。ドライバＩＣ４１から出力線ＤＯ１に対して、Ｒ（１，１），Ｇ（１，１），Ｂ（１，１），Ｒ（２，１），Ｇ（２，１），Ｂ（２，１）に関する６ドット分のデータ信号が時系列的に連続して出力される。この信号出力と同期して、選択信号ＳＳ１〜ＳＳ６が排他的に順次Ｈレベル（高レベル）になる。したがって、時分割回路４３の各グループにおいて、６つの選択スイッチが互いにオフセットしながら順次オンする。これにより、ドライバＩＣ４１から出力された時系列的な信号が６つに時分割され、１ドット分のデータ信号となって対応するデータ線Ｘ１〜Ｘ６に順次割り振られる。そして、割り振られたデータ信号の電圧レベルに応じてデータ線Ｘ１〜Ｘ６が充電されて、画素（１，１），（２，１）に対応する電気光学素子２へのデータ書き込みが行われる。今回書き込まれたデータは１フレーム期間が経過して、次の書き込みが行われるまで保持される。
【００２６】
次の１Ｈ期間では２番目の走査線Ｙ２が選択されるため、出力線ＤＯ１のデータ書込対象は、画素Ｐ（１，１），Ｐ（２，１）から画素Ｐ（１，２），Ｐ（２，２）へと変わる。したがって、ドライバＩＣ４１は、出力線ＤＯ１に対して、Ｒ（１，２），Ｇ（１，２），Ｂ（１，２），Ｒ（２，２），Ｇ（２，２），Ｂ（２，２）に関する６ドット分のデータ信号を時系列的に出力する。出力された時系列的な信号は、６つに時分割された上で、データ線Ｘ１〜Ｘ６に割り振られる。これ以降についても同様であり、最下の画素行が選択されるまで、それぞれの画素行に対するデータの書き込みが線順次的に行われていく。
【００２７】
図４は、本実施形態に係る極性反転駆動の説明図である。本実施形態の特徴は、１ドットを反転単位とするのではなく、表示部１を分割することによって規定される所定サイズのブロックを反転単位としている点である。具体的には、Ｍ本のデータ線Ｘ１〜ＸＭをｍ本毎に分割する。ここで、ｍは、極性反転の回数を減らして低消費電力化を図るべく、時分割駆動におけるグループを規定するデータ線の本数ｋの整数倍（同数を含む。以下同様）であることが好ましい。また、１画素を赤、青、緑の３ドットで構成する場合、ｍは３の整数倍であることが望ましい。
【００２８】
本実施形態では、後述する第２の実施形態とは異なり、走査線Ｙ１〜ＹＮの分割は行わない。したがって、垂直方向に延在するｍドット幅の短冊状のブロック（ｍドット×Ｎライン）、換言すれば、ｍ本のデータ線Ｘで構成されたデータ線群がブロックとして規定される。この場合、データ線駆動回路４によって行われる極性反転駆動は、ｍ本のデータ線群を反転単位としたＶライン反転駆動となる。図４に示した例では、ブロックを規定するデータ線Ｘの本数ｍは６、すなわち、時分割駆動における１つのグループを構成するデータ線Ｘの本数ｋと同じに設定されている。ただし、極性反転を行う回数を減らして低消費電力化を図るという観点でいえば、ｍとｋとが一致する必要は必ずしもなく、ｍがｋの整数倍であってもよい。
【００２９】
データ線駆動回路４は、以下の３つの規則にしたがい、データ線Ｘ１〜ＸＭに出力するデータ信号の極性を制御する。第１に、同一のブロックに対しては、同一極性をデータ信号が出力される。例えば、図４において、データ線群Ｘ１〜Ｘ６によって規定される６ドット×Ｎラインのブロックに対して同一極性（正極）のデータ信号が出力される。第２に、互いに隣接したブロック間では逆極性のデータ信号が出力される。例えば、データ線群Ｘ１〜Ｘ６によって規定されるブロックに対して正極のデータ信号が出力されると、その右側に隣接したデータ線群Ｘ７〜Ｘ１２によって規定されるブロックに対しては負極のデータ信号が出力される。第３に、それぞれのブロックを反転単位として、データ信号の極性を所定の期間（例えば１フレーム毎）反転させる。例えば、データ線群Ｘ１〜Ｘ６によって規定されるブロックに対して、今回のフレームで正極のデータ信号を出力したら、次回のフレームでは負極のデータ信号を出力する。
【００３０】
本実施形態によれば、ブロック（データ線群）を規定するｍ本のデータ線Ｘを反転単位としたＶライン反転駆動を行うことにより、単一のデータ線を反転単位として通常のＶライン反転駆動よりも、データ信号の極性反転を行う回数を減らすことができる。したがって、極性反転の回数を減らした分だけ、低消費電力化を図ることが可能となる。また、この極性反転駆動は、表示の高精細化が進むほどシビアになる低消費電力化の対策として有効である。なお、高精細化が進んで、ユーザが視覚的に識別できる限界の解像度に近づくと、フリッカ自体も目立たなくなってくる。そのため、１ドットよりも大きなｍドット単位での極性反転駆動を行ったとしても、表示品質の低下はそれほど問題にはならない。以上のような理由から、本実施形態に係る極性反転駆動法は、特に高精細な表示を行う際に適している。
【００３１】
また、本実施形態によれば、極性反転駆動における１ブロックを規定するデータ線の本数ｍを、時分割駆動における１つのグループを規定するデータ線の本数ｋの整数倍にすることで、消費電力の一層の低減を図ることができる。なぜなら、図５に示すように、同一のフレーム期間において、データ信号の極性反転を行う必要がないからである。したがって、その期間内では、１つの出力線ＤＯ１に対して、極性反転を行うことなく同一極性のデータ信号のみを出力し続ければよい。その結果、特許文献１と比較して（同文献の図６参照）、極性反転の回数を大幅に削減できるため、その分だけ、低消費電力化を図ることができる。それとともに、極性反転の回数が少なくてすむ分だけ、動作の高速化や回路構成の簡素化を図ることができる点も高精細化を図る上で大きなメリットになる。
【００３２】
（第２の実施形態）
図６は、第２の実施形態に係る極性反転駆動の説明図である。本実施形態では、反転単位となるブロックを、データ線Ｘ１〜ＸＭの分割のみならず、走査線Ｙ１〜ＹＮの分割も行うことによって規定する。具体的には、Ｍ本のデータ線Ｘ１〜ＸＭをｍ（ｍはｋの整数倍）本毎に分割するとともに、Ｎ本の走査線Ｙ１〜ＹＮをｎ（ｎは自然数）本毎に分割する。これにより、ｍドット×ｎラインのブロックが規定される。この場合、データ線駆動回路４によって行われる極性反転駆動は、ｍドット×ｎラインのブロックを反転単位としたブロック反転駆動となる。図６に示した例では、ｍ＝６、すなわち、時分割駆動における１つのグループを構成するライン数ｋと同一数に設定されており、ｎは２に設定されている。
【００３３】
データ線駆動回路４は、第１の実施形態と同様の規則にしたがい、データ線Ｘ１〜ＸＭに出力するデータ信号の極性を制御する。本実施形態では、図７に示すように、１フレーム期間内において、同一のデータ線であっても出力されるデータ信号の極性が２ライン毎に反転する。すなわち、奇数番目から偶数番目に走査線Ｙが切り替わる際には極性反転が発生しないが、偶数番目から奇数番目に切り替わる際には極性反転が発生する。そのため、極性反転の回数は第１の実施形態よりも多くなる。
【００３４】
本実施形態によれば、第１の実施形態と同様、完全なドット反転駆動と比較して、データ信号の極性反転を行う回数を減らすことができるため、消費電力の大幅な低減を図ることができ、高精細化への対応が容易になる。また、特に本実施形態によれば、第１の実施形態のＶライン反転駆動で生じる表示不良を解消することができる。
【００３５】
（第３の実施形態）
本実施形態では、上述した各実施形態にリセット回路を追加した構成に関する。図８は、本実施形態に係るリセット回路の構成図である。このリセット回路６は、隣接したデータ線Ｘ同士をショートさせるスイッチを水平方向に直列接続した構成を有する。それぞれのスイッチは、制御回路５において生成された制御信号ＤＣによって導通制御される。
【００３６】
リセット回路６は、データ信号の極性反転を行う前に、逆極性のデータ信号が出力されたデータ線同士（例えば、Ｘ１〜Ｘ６とＸ７〜Ｘ１２）をショートさせる。例えば、第１の実施形態では、図５に示したように、フレームの移行に伴い極性反転が生じるので、これに先立ち制御信号ＤＳをＨレベルに設定する。これにより、リセット回路６によってＸ１〜Ｘ６とＸ７〜Ｘ１２との間がショートされる。これにより、データ線Ｘに充電されている電荷が放電され、データ線Ｘの電圧が正極と負極との間の中間電圧近傍に近づく。次のラインで供給する極性側に近づいた分だけ、消費電力の低減を図ることができる。また、データ線Ｘの次の充電プロセスを素早く行えるため、１Ｈ期間の短縮化（ライン選択の高速化）を図ることが可能となる。また、ライン数を増やすことができるため、高精細化への対応が容易となる。また、例えば、第２の実施形態では、図７に示したように、偶数番目から奇数番目への走査線Ｙの移行に伴い、極性反転が発生する。そこで、図９に示すように、奇数番目の走査線Ｙへの移行前のブランキング期間ｔ０〜ｔ１において、制御信号ＤＳをＨレベルにする。これにより、Ｘ１〜Ｘ６とＸ７〜Ｘ１２との間がショートされて、データ線Ｘの電圧が中間電圧近傍に近づく。
【００３７】
このように、本実施形態によれば、データ線Ｘの充電に要する電力を低減できるため、低消費電力化を図ることが可能となる。
【００３８】
（第４の実施形態）
図１０は、第４の実施形態に係る電気光学装置のブロック構成図である。本実施形態では、リセット回路に代えて、或いは、リセット回路を併存させて、プリチャージ回路７を追加する。このプリチャージ回路７は、データ線駆動回路４とは反対側において、データ線Ｘ１〜ＸＭと、プリチャージ電圧Ｖｐｃが印加されたプリチャージラインとの間に設けられており、制御回路５において生成された制御信号ＰＣによって制御される。すなわち、制御信号ＰＣがＨレベルの場合に、プリチャージ回路７を構成するプリチャージスイッチがオンして、所定のプリチャージ電圧Ｖｐｃでそれぞれのデータ線Ｘ１〜ＸＭを充電する。このプリチャージ動作は、リセット回路６の場合と同様に、データ信号の極性反転を行う前に行われる。これにより、ライン選択の高速化等を図ることが可能となる。
【００３９】
なお、上述した各実施形態では、電気光学素子として液晶素子を用いた例について説明した。しかしながら、本発明はこれに限定されるものではなく、極性反転駆動を行う様々な電気光学素子に対しても適用可能である。
【００４０】
また、上述した各実施形態に係る電気光学装置は、例えば、テレビ、プロジェクタ、携帯電話機、携帯端末、モバイル型コンピュータ、パーソナルコンピュータ等を含む様々な電子機器に実装可能である。これらの電子機器に上述した電気光学装置を実装すれば、電子機器の商品価値を一層高めることができ、市場における電子機器の商品訴求力の向上を図ることができる。
【００４１】
【発明の効果】
本発明によれば、表示の高精細化に適した極性反転駆動を実現でき、極性反転駆動における消費電力の低減を図ることが可能となる。
【図面の簡単な説明】
【図１】第１の実施形態に係る電気光学装置のブロック構成図
【図２】電気光学素子の等価回路図
【図３】時分割駆動の動作タイミングチャート
【図４】第１の実施形態に係る極性反転駆動の説明図
【図５】第１の実施形態に係るデータ信号の電圧波形の一例を示す図
【図６】第２の実施形態に係る極性反転駆動の説明図
【図７】第２の実施形態に係るデータ信号の波形の説明図
【図８】第３の実施形態に係るリセット回路の構成図
【図９】リセット回路の動作タイミングチャート
【図１０】第４の実施形態に係る電気光学装置のブロック構成図
【符号の説明】
１  表示部
２  電気光学素子
３  走査線駆動回路
４  データ線駆動回路
５  制御回路
６  リセット回路
７  プリチャージ回路
２１  ＴＦＴ
２２  液晶容量
２２ａ  画素電極
２２ｂ  対向電極
２３  蓄積容量
４１  ドライバＩＣ
４２  ＤＡＣ
４３  時分割回路
４４  リセット回路
【図１】
2004258485.tif 000003
【図２】
2004258485.tif 000004
【図３】
2004258485.tif 000005
【図４】
2004258485.tif 000006
【図５】
2004258485.tif 000007
【図６】
2004258485.tif 000008
【図７】
2004258485.tif 000009
【図８】
2004258485.tif 000010
【図９】
2004258485.tif 000011
【図１０】
2004258485.tif 000012